(57)【要約】      （修正有）【課題】空気の板体の阻流流路内における流動時間を増加し、板体の熱吸収効率を向上すると共に、阻流流路の設計により、空気が有効な空間内で形成する乱流を利用し、板体表面に付着した灰やかすを浮かせて動かし、板体表面の灰やかすを空気の流出とともに取り除くことができる、放熱板の提供。【解決手段】複数枚の形状が同じ板体２，３，４を互い違いに重ねて構成され、板体表面にローラープレスにより形成した湾曲部２１，２２，３１，３２，４１，４２と、複数本の斜め方向に浮き出し模様を排列した斜め通路を備え、上の板体と下の板体を重ね合わせた後の空間に阻流流路が形成されることを特徴とする。【選択図】図２
0003120487.tif 000002
【実用新案登録請求の範囲】
【請求項１】
複数枚の形状が同じ板体を互い違いに重ねて構成され、板体表面にローラープレスにより形成した湾曲部と、複数本の斜め方向に浮き出し模様を排列した斜め通路を備え、上の板体と下の板体を重ね合わせた後の空間に阻流流路が形成されることを特徴とする、放熱板。
【請求項２】
前記阻流流路が、２つの湾曲部で囲まれた幅の空間において、上の板体の斜め通路と下の板体の斜め通路を互い違いにずらせて構成される、請求項１に記載の放熱板。
【請求項３】
前記板体表面の斜め方向の浮き出し模様を、同じ方向または異なる方向に傾斜させて設けた、請求項１に記載の放熱板。
【請求項４】
前記板体の組み立てにおいて、上の板体と下の板体を互い違いに重ねて組み立た、請求項１に記載の放熱板。
【請求項５】
前記板体の斜め通路の片側が平面板体である、請求項１に記載の放熱板。
【考案の詳細な説明】
【技術分野】
【０００１】
本考案は放熱板に関し、詳細には、複数枚の同じ形状の板体を互い違いに重ねる方式で構成され、上板体と下板体の間に熱気が流入した後適度な乱流を形成する阻流流路を備え、板体が熱を吸収する時間を長くすると共に、板体表面に付いた埃やごみを徹底的に取り除くことができる、放熱板に関する。
【背景技術】
【０００２】
図１に示す空気予熱器１は、一般的に発電所において、発電所の廃気の冷熱交換に使用されているが、主に軸流式の回転で熱気を流入させた後、その中に設置した複数枚の放熱板(または熱吸収板)が通過する気流に含まれる熱値を吸収し、冷熱交換及び空気予熱の目的を達している。
【０００３】
通常、空気予熱器に設置される放熱板は、熱吸収及び放熱の機能を増加するため、主に板片の表面に適切な加工を実施し、板片を適切に変形させ、さらに異なる形状の板片を順序に従い互い違いに重ねて配置し、複数の形状が異なる流通空間を形成して熱吸収及び放熱に利用できるようにしている。
【０００４】
しかしながら、前記のような空気予熱器を使用する作業環境(例えば発電所など)は、その空気の品質が悪く、特に、前記空気予熱器が処理するのが廃熱空気であるとき、空気中に大量の石炭灰や石炭の燃えかすが含まれ、長期間使用すると、石炭灰や石炭の燃えかすが放熱板表面に付着し、板体と板体の間の流動空間が小さくなり、放熱板の熱吸収効率が悪くなりやすく、経常的に機械を停止して洗浄する必要がある。また、板体の形状が異なるため、異なるローラープレス設備を使用する必要があり、材料コスト及び機械コストも相対的に高くなってしまい、人力と物力の無駄を招くだけでなく、形状的な取り外しが板体構造を破損しやすい。
【０００５】
上述の問題に鑑みて、本考案は考案者の長年の経験に基づき、度重なる試験と研究改良を重ね、ついに開発に成功したものである。
【考案の開示】
【考案が解決しようとする課題】
【０００６】
本考案の第一の目的は、複数枚の同じ形状の板体を互い違いに重ねる方式で組み立て、その内部に空気が進入した後適切な乱流を形成することができる阻流流路を備えた、放熱板を提供することにある。
【０００７】
本考案の第二の目的は、板体表面にローラープレスで相互間に適切な距離を有する同方向の湾曲部を形成し、２つの湾曲部間の板体表面に一方向に浮き出た浮き出し模様を斜め方向に形成し、板体と板体を互い違いに重ねて組み立てた後、空気の進入後に適切な乱流を形成することができる阻流流路を備えた、放熱板を提供することにある。
【０００８】
本考案の第三の目的は、同じ形状の板体を組み立てて成る放熱板であって、コストを大幅に低減でき、且つ、空気の板体の阻流流路内における流動時間を増加し、板体の熱吸収効率を向上すると共に、阻流流路の設計により、空気が有効な空間内で形成する乱流を利用し、板体表面に付着した灰やかすを浮かせて動かし、板体表面の灰やかすを空気の流出とともに取り除くことができる、放熱板を提供することにある。
【０００９】
本考案の第四の目的は、より具体的に、２つの相互間に適切な距離を有する湾曲部が、上下の板体を互い違いに重ねたとき一定幅に制限された空間を形成し、さらに上板体と下板体間の斜め方向の浮き出し模様を利用し、同じ縦方向に位置する上下板体の斜め方向の浮き出し模様をずらせて配置させることにより、空気が進入した後乱流を形成する阻流流路を構成する、放熱板を提供することにある。
【００１０】
本考案の第五の目的は、板体表面の突起模様の設計及び板体間の組み立て方法を変えることで、灰やかすの除去を加速することができ、且つ、放熱効率を向上することができる、放熱板を提供することにある。
【課題を解決するための手段】
【００１１】
複数枚の形状が同じ板体を互い違いに重ねて構成され、板体表面にローラープレスにより形成した湾曲部と、複数本の斜め方向に浮き出し模様を排列した斜め通路を備え、上の板体と下の板体を重ね合わせた後の空間に阻流流路が形成されることを特徴とする。
【考案を実施するための最良の形態】
【００１２】
本考案の詳細な構造、応用原理、作用、効果について、以下、図面に基づき詳細に説明する。
【００１３】
本考案の放熱板は、図２、図３に示すように、３枚(またはそれ以上)の金属板体２、３、４を上から下へ互い違いに重ねて組み立てて成る。これら板体２、３、４は、その板面の形状は同じであり、板体表面に２本のローラープレスにより形成された湾曲部２１、２２、３１、３２、４１、４２をそれぞれ備え、これら湾曲部２１、２２、３１、３２、４１、４２は同じ方向へ湾曲しており、且つ、板体表面から適切な高さを備え、空気流動空間の高さを形成している。
【００１４】
２つの湾曲部２１、２２、３１、３２、４１、４２間の板面に少なくとも２本の複数の斜め方向に浮き出し模様を排列して成る斜め通路５１、５２を設け、この浮き出し模様は板体表面に直接ローラープレスで設けるものであるため、浮き出ているのは板体の片面においてのみであり、反対側の表面の相対する位置は陥没状となる。
【００１５】
該２本の斜め通路５１、５２の斜め方向の浮き出し模様の傾斜方向は同じでも異なっていてもよく、例えば、第一の斜め通路５１を右方向に傾斜させ、第二の斜め通路５２を左方向に傾斜させたり、第一の斜め通路５１を左方向に傾斜させ、第二の斜め通路５２を右方向に傾斜させたり、或いは、２本の斜め通路５１、５２を共に同じ方向に傾斜させてもよい。この２本の斜め通路５１、５２の板体は平面板体５３とする。
【００１６】
上述の板体２、３、４を組み立てると、図４からはっきりと分かるように、各板体２、３、４は上から下へと順序に従い排列されているが、各板体２、３、４の位置は互い違いに重ねられており、各板体２、３、４の湾曲部２１、２２、３１、３２、４１、４２は異なる縦方向の位置に位置する。
【００１７】
組み立て時には、第二の板体３を第一の板体２より右へずらし、第三の板体４をさらに第二の板体３より右にずらす。そして、図５を参照するとはっきりとわかるように、第一の板体２の湾曲部２１、２２間の斜め通路５１A、５２Bと第二の板体３の湾曲部３１、３２間の斜め通路５１a、５２bはその上下の相対的位置が適切にずれており、湾曲部２１、２２の間に囲まれる空間内で上の板体の斜め通路５１A、５２Bと下の板体の斜め通路５１a、５２bがずれて配置され、いわゆる阻流流路６が形成される。
【００１８】
これにより、阻流流路６内に進入した熱空気が、上の板体の斜め通路５１A、５２Bと下の板体の斜め通路５１a、５２bのずれた配置の影響を受けるため、阻流流路６内で適度の乱流が形成され、迅速に阻流流路６を通過することができなくなり、相対して板体２、３、４が熱を吸収する時間が延長される。
【００１９】
さらに、形成された乱流が阻流流路６内部で適当な推力を形成し、流動時に板体２、３、４表面に粘着または付着した灰やかすを浮かせて取り除くため、板体２、３、４をきれいに保つことができ、熱吸収の効率を向上し、冷熱交換の効率を向上することができる。
【００２０】
上述のように、本考案の放熱板は同じ形状の板体を利用し、位置をずらして組み立てる方式に、板体表面に形成した斜め方向の浮き出し模様の設計を組み合わせ、確実にその全体で熱吸収効率を向上し、灰かすを取り除く効果を形成でき、またこれまでに公開されたことがなく、完全に実用新案登録出願の要件を満たしているため、法に基づきここに出願を提出するものである。
【００２１】
以上で述べた説明は、本考案の最良の実施例に基づくものであり、本考案の構想に基づく変化の形成する作用が本考案の明細書及び図面に含まれる要旨を逸脱しない場合、すべて本考案の範囲内に含まれるものとみなす。
【図面の簡単な説明】
【００２２】
【図１】従来の空気予熱器の立体図である。
【図２】本考案の放熱板の組み立て後の立体図である。
【図３】本考案の単一の放熱板の立体図である。
【図４】本考案の放熱板の組み立て後の平面図である。
【図５】本考案の上下放熱板を組み立てた後の上面図である。
【符号の説明】
【００２３】
１        空気予熱器
２、３、４    板体
２１、２２、３１、３２、４１、４２    湾曲部
５１、５２    斜め通路
５３      平面板体
５１Ａ、５２Ｂ、 ５１ａ、５２ｂ    斜め通路
６        阻流流路
【図１】
0003120487.tif 000003
【図２】
0003120487.tif 000004
【図３】
0003120487.tif 000005
【図４】
0003120487.tif 000006
【図５】
0003120487.tif 000007